【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
端末が向上した下向きリンク物理制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ，ＥＰＤＣＣＨ）を用いて制御情報を受信する方法において、
前記制御情報を伝送するために可用な資源要素（ｒｅｓｏｕｒｃｅ  ｅｌｅｍｅｎｔ，ＲＥ）の数を決める段階と、
前記決められたＲＥの数に基づいて、ＥＰＤＣＣＨ候補の数として第１個数又は第２個数を選択する段階と、
前記制御情報を受信するために、前記ＥＰＤＣＣＨ候補を前記選択された個数に基づいてモニタリングする段階と、
前記受信された制御情報がスケジューリングするデータを送受信する段階と、を含み、
前記第１個数は、前記可用なＲＥの数が予め定められた臨界値よりも小さいときに選択され、
１つのＥＰＤＣＣＨ候補は、集約レベル（aggregation level）Ｌ個の向上した制御チャネル要素（ｅｎｈａｎｃｅｄ  ｃｏｎｔｒｏｌ  ｃｈａｎｎｅｌ  ｅｌｅｍｅｎｔ，ＥＣＣＥ）を含んでいることを特徴とする制御情報受信方法。
【請求項２】
前記第２個数は、前記可用なＲＥの数が前記予め定められた臨界値よりも大きい又は同じであるときに選択されることを特徴とする請求項１に記載の制御情報受信方法。
【請求項３】
前記可用なＲＥとは、物理資源ブロック（ｐｈｙｓｉｃａｌ  ｒｅｓｏｕｒｃｅ  ｂｌｏｃｋ，ＰＲＢ）内に存在するＲＥ中の共用基準信号（Ｃｏｍｍｏｎ  Ｒｅｆｅｒｅｎｃｅ  Ｓｉｇｎａｌｓ，ＣＲＳ）、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，ＣＳＩ−ＲＳ）及び他の制御チャネルの伝送に使用されるＲＥを除いたＲＥであることを特徴とする請求項１に記載の制御情報受信方法。
【請求項４】
Ｌが１の場合、前記第１個数は０であり、前記第２個数は０よりも大きいことを特徴とする請求項２に記載の制御情報受信方法。
【請求項５】
Ｌが１よりも大きい少なくとも１つの数の場合、前記第１個数は前記第２個数よりも大きいことを特徴とする請求項２に記載の制御情報受信方法。
【請求項６】
特定のサブフレームで前記端末が前記ＥＰＤＣＣＨをデコーディングするか否かを指示する情報を、上位レイヤーシグナリングを通じて受信する段階をさらに含むことを特徴とする請求項１に記載の制御情報受信方法。
【請求項７】
前記情報はビットマップであり、前記ビットマップの大きさはサブフレームの数と関連することを特徴とする請求項６に記載の制御情報受信方法。
【請求項８】
基地局が向上した下向きリンク物理制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ，ＥＰＤＣＣＨ）を用いて制御情報を伝送する方法において、
前記制御情報を伝送するために可用な資源要素（ｒｅｓｏｕｒｃｅ  ｅｌｅｍｅｎｔ，ＲＥ）の数を決める段階と、
ＥＰＤＣＣＨ候補の第１個数又は第２個数のうちの１つを選択し、選択された数に基づいて前記ＥＰＤＣＣＨを生成する段階と、
前記生成されたＥＰＤＣＣＨを用いて前記制御情報を伝送する段階と、
前記受信された制御情報がスケジューリングするデータを送受信する段階と、を含み、
前記第１個数は、前記可用なＲＥの数が予め定められた臨界値よりも小さいときに選択され、
１つのＥＰＤＣＣＨは、集約レベル（ａｇｇｒｅｇａｔｉｏｎ  ｌｅｖｅｌ）Ｌ個の向上した制御チャネル要素（ｅｎｈａｎｃｅｄ  ｃｏｎｔｒｏｌ  ｃｈａｎｎｅｌ  ｅｌｅｍｅｎｔ，ＥＣＣＥ）を含んでいることを特徴とする制御情報伝送方法。
【請求項９】
前記第２個数は、前記可用なＲＥの数が前記予め定められた臨界値よりも大きい又は同じであるときに選択されることを特徴とする請求項８に記載の制御情報伝送方法。
【請求項１０】
前記可用なＲＥとは、物理資源ブロック（ｐｈｙｓｉｃａｌ  ｒｅｓｏｕｒｃｅ  ｂｌｏｃｋ，ＰＲＢ）内に存在するＲＥ中の共用基準信号（Ｃｏｍｍｏｎ  Ｒｅｆｅｒｅｎｃｅ  Ｓｉｇｎａｌｓ，ＣＲＳ）、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，ＣＳＩ−ＲＳ）及び他の制御チャネルの伝送に使用されるＲＥを除いたＲＥであることを特徴とする請求項８に記載の制御情報伝送方法。
【請求項１１】
Ｌが１の場合、前記第１個数は０であり、前記第２個数は０よりも大きいことを特徴とする請求項９に記載の制御情報伝送方法。
【請求項１２】
Ｌが１よりも大きい少なくとも１つの数の場合、前記第１個数は前記第２個数よりも大きいことを特徴とする請求項９に記載の制御情報伝送方法。
【請求項１３】
特定のサブフレームで前記端末が前記ＥＰＤＣＣＨをデコーディングするか否かを指示する情報を、上位レイヤーシグナリングを通じて伝送する段階をさらに含むことを特徴とする請求項８に記載の制御情報伝送方法。
【請求項１４】
前記情報はビットマップであり、前記ビットマップの大きさはサブフレームの数と関連することを特徴とする請求項１３に記載の制御情報伝送方法。
【請求項１５】
向上した下向きリンク物理制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ，ＥＰＤＣＣＨ）を用いて制御情報を受信する端末において、
基地局と信号を送受信する送受信部と、
前記制御情報を伝送するために可用な資源要素（ｒｅｓｏｕｒｃｅ  ｅｌｅｍｅｎｔ，ＲＥ）の数を決め、前記決められたＲＥの数に基づいて、ＥＰＤＣＣＨ候補の個数として第１個数又は第２個数を選択し、前記制御情報を受信するために前記ＥＰＤＣＣＨ候補を前記選択された数に基づいてモニタリングし、前記受信された制御情報がスケジューリングするデータを送受信するように制御する制御部と、を含み、
前記第１個数は、前記可用なＲＥの数が予め定められた臨界値よりも小さいときに選択され、
１つのＥＰＤＣＣＨ候補は、集約レベル（ａｇｇｒｅｇａｔｉｏｎ  ｌｅｖｅｌ）Ｌ個の向上した制御チャネル要素（ｅｎｈａｎｃｅｄ  ｃｏｎｔｒｏｌ  ｃｈａｎｎｅｌ  ｅｌｅｍｅｎｔ，ＥＣＣＥ）を含んでいることを特徴とする端末。
【請求項１６】
前記第２個数は、前記可用なＲＥの数が前記予め定められた臨界値よりも大きい又は同じであるときに選択されることを特徴とする請求項１５に記載の端末。
【請求項１７】
前記可用なＲＥとは、物理資源ブロック（ｐｈｙｓｉｃａｌ  ｒｅｓｏｕｒｃｅ  ｂｌｏｃｋ，ＰＲＢ）内に存在するＲＥ中の共用基準信号（Ｃｏｍｍｏｎ  Ｒｅｆｅｒｅｎｃｅ  Ｓｉｇｎａｌｓ，ＣＲＳ）、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，ＣＳＩ−ＲＳ）及び他の制御チャネルの伝送に使用されるＲＥを除いたＲＥであることを特徴とする請求項１５に記載の端末。
【請求項１８】
Ｌが１の場合、前記第１個数は０であり、前記第２個数は０よりも大きいことを特徴とする請求項１６に記載の端末。
【請求項１９】
Ｌが１よりも大きい少なくとも１つの数の場合、前記第１個数は前記第２個数よりも大きいことを特徴とする請求項１６に記載の端末。
【請求項２０】
前記制御部は、特定のサブフレームで前記端末が前記ＥＰＤＣＣＨをデコーディングするか否かを指示する情報を、上位レイヤーシグナリングを通じて受信するようにさらに制御することを特徴とする請求項１５に記載の端末。
【請求項２１】
前記情報はビットマップであり、前記ビットマップの大きさはサブフレームの数と関連することを特徴とする請求項２０に記載の端末。
【請求項２２】
向上した下向きリンク物理制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ，ＥＰＤＣＣＨ）を用いて制御情報を伝送する基地局において、
端末と信号を送受信する送受信部と、
前記制御情報を伝送するために可用な資源要素（ｒｅｓｏｕｒｃｅ  ｅｌｅｍｅｎｔ，ＲＥ）の数を決め、ＥＰＤＣＣＨ候補の第１個数又は第２個数のうちの１つを選択し、選択された数に基づいて前記ＥＰＤＣＣＨを生成し、前記生成されたＥＰＤＣＣＨを用いて前記制御情報を伝送し、前記受信された制御情報がスケジューリングするデータを送受信するように制御する制御部と、を含み、
前記第１個数は、前記可用なＲＥの数が予め定められた臨界値よりも小さいときに選択され、１つのＥＰＤＣＣＨは、集約レベル（ａｇｇｒｅｇａｔｉｏｎ  ｌｅｖｅｌ）Ｌ個の向上した制御チャネル要素（ｅｎｈａｎｃｅｄ  ｃｏｎｔｒｏｌ  ｃｈａｎｎｅｌ  ｅｌｅｍｅｎｔ，ＥＣＣＥ）を含んでいることを特徴とする基地局。
【請求項２３】
前記第２個数は、前記可用なＲＥの数が前記予め定められた臨界値よりも大きい又は同じであるときに選択されることを特徴とする請求項２２に記載の基地局。
【請求項２４】
前記可用なＲＥとは、物理資源ブロック（ｐｈｙｓｉｃａｌ  ｒｅｓｏｕｒｃｅ  ｂｌｏｃｋ，ＰＲＢ）内に存在するＲＥ中の共用基準信号（Ｃｏｍｍｏｎ  Ｒｅｆｅｒｅｎｃｅ  Ｓｉｇｎａｌｓ，ＣＲＳ）、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，ＣＳＩ−ＲＳ）及び他の制御チャネルの伝送に使用されるＲＥを除いたＲＥであることを特徴とする請求項２２に記載の基地局。
【請求項２５】
Ｌが１の場合、前記第１個数は０であり、前記第２個数は０よりも大きいことを特徴とする請求項２３に記載の基地局。
【請求項２６】
Ｌが１よりも大きい少なくとも１つの数の場合、前記第１個数は前記第２個数よりも大きいことを特徴とする請求項２３に記載の基地局。
【請求項２７】
前記制御部は、特定のサブフレームで前記端末が前記ＥＰＤＣＣＨをデコーディングするか否かを指示する情報を上位レイヤーシグナリングを通じて伝送するようにさらに制御することを特徴とする請求項２２に記載の基地局。
【請求項２８】
前記情報はビットマップであり、前記ビットマップの大きさはサブフレームの数と関連することを特徴とする請求項２７に記載の基地局。